(57)【特許請求の範囲】
【請求項１】
画像を固体撮像素子によりデジタル画像データとして取り込んで、色補正処理を行い画像記録媒体に記録する、固体撮像素子を用いた画像取得装置であって、
前記取り込んだ画像中の各部の明度を検出する明度検出手段と、
前記色補正処理を行なうための色補正マトリックスである、リニアマトリックス及び色差マトリックスの係数を、前記検出された画像中の各部の明度に応じて、前記検出された画像中の明度が高い領域では前記リニアマトリックスの係数の絶対値を大きく設定し、前記検出された画像中の明度が低い領域では前記リニアマトリックスの係数の絶対値を小さく設定し、かつ前記色差マトリックスの係数を大きく設定するように変更するマトリックス係数設定手段と、
を備えたことを特徴とする固体撮像素子を用いた画像取得装置。
【請求項２】
前記マトリックス係数設定手段は、前記明度検出手段により検出された画像中の各部の明度に応じて、前記リニアマトリックスの係数を比例配分して設定する請求項１に記載の固体撮像素子を用いた画像取得装置。
【請求項３】
前記マトリックス係数設定手段は、前記明度検出手段により検出された前記画像中の各部の明度のうち最大値をＹmax、最小値をＹminとし、さらに、前記リニアマトリックスの各係数のうち最も絶対値の大きい値をaijmax、前記リニアマトリックスの各係数のうち最も絶対値の小さい値をaijminとしたときに、
前記取り込んだ画像中のある所定の部分の明度Ｙに対応する前記リニアマトリックスの各係数aijを、以下の式により決定する請求項１または２に記載の固体撮像素子を用いた画像取得装置。
aij＝（aijmax−aijmin）×（Ｙ−Ｙmin）／（Ｙmax−Ｙmin）＋aijmin
【請求項４】
画像を固体撮像素子によりデジタル画像データとして取り込んで、色補正処理を行い画像記録媒体に記録する、固体撮像素子を用いた画像取得装置であって、
前記固体撮像素子の感度を設定する感度設定手段と、
前記色補正処理を行なうための色補正マトリックスである、リニアマトリックス及び色差マトリックスの係数を、前記設定された固体撮像素子の感度に応じて、前記設定された固体撮像素子の感度が低い場合には前記リニアマトリックスの係数の絶対値を大きく設定し、感度が高い場合には前記リニアマトリックスの係数の絶対値を小さく設定し、かつ前記色差マトリックスの係数を大きくするように変更するマトリックス係数設定手段と、
を備えたことを特徴とする固体撮像素子を用いた画像取得装置。
【請求項５】
前記マトリックス係数設定手段は、前記感度設定手段により設定された固体撮像素子の感度に応じて、前記リニアマトリックスの係数を比例配分して設定する請求項４に記載の固体撮像素子を用いた画像取得装置。
【請求項６】
画像を固体撮像素子によりデジタル画像データとして取り込んで、色補正処理を行い画像記録媒体に記録する、固体撮像素子を用いた画像取得方法であって、
前記取り込んだ画像中の各部の明度を検出し、
前記色補正処理を行なうための色補正マトリックスである、リニアマトリックス及び色差マトリックスの係数を、前記検出された画像中の各部の明度に応じて、前記検出された画像中の明度が高い領域では前記リニアマトリックスの係数の絶対値を大きく設定し、前記検出された画像中の明度が低い領域では前記リニアマトリックスの係数の絶対値を小さく設定し、かつ前記色差マトリックスの係数を大きく設定するように変更することを特徴とする固体撮像素子を用いた画像取得方法。
【請求項７】
前記検出された画像中の各部の明度に応じて、前記リニアマトリックスの係数を比例配分して設定する請求項６に記載の固体撮像素子を用いた画像取得方法。
【請求項８】
前記検出された前記画像中の各部の明度のうち最大値をＹmax、最小値をＹminとし、さらに、前記リニアマトリックスの各係数のうち最も絶対値の大きい値をaijmax、前記リニアマトリックスの各係数のうち最も絶対値の小さい値をaijminとしたときに、
前記取り込んだ画像中のある所定の部分の明度Ｙに対応する前記リニアマトリックスの各係数aijを、以下の式により決定する請求項６または７に記載の固体撮像素子を用いた画像取得方法。
aij＝（aijmax−aijmin）×（Ｙ−Ｙmin）／（Ｙmax−Ｙmin）＋aijmin
【請求項９】
画像を固体撮像素子によりデジタル画像データとして取り込んで、色補正処理を行い画像記録媒体に記録する、固体撮像素子を用いた画像取得方法であって、
前記色補正処理を行なうための色補正マトリックスである、リニアマトリックス及び色差マトリックスの係数を、前記固体撮像素子の感度に応じて、前記設定された固体撮像素子の感度が低い場合には前記リニアマトリックスの係数の絶対値を大きく設定し、感度が高い場合には前記リニアマトリックスの係数の絶対値を小さく設定し、かつ前記色差マトリックスの係数を大きく設定することを特徴とする固体撮像素子を用いた画像取得方法。
【請求項１０】
前記固体撮像素子の感度に応じて、前記リニアマトリックスの係数を比例配分して設定する請求項９に記載の固体撮像素子を用いた画像取得方法。
【請求項１１】
請求項６乃至１０のいずれかに記載の固体撮像素子を用いた画像取得方法を、コンピュータに実行させるためのプログラムとして、コンピュータにより読み取り可能に記録した、前記画像取得方法を実行するためのプログラムを記録した記録媒体。
【発明の詳細な説明】
【０００１】
【発明の属する技術分野】
本発明は、固体撮像素子を用いた画像取得装置および画像取得方法並びにその方法を実行するためのプログラムを記録した記録媒体に係り、特に、デジタルスチルカメラ等のＣＣＤを用いた静止画像入力装置において、被写体が暗い場合に増加してしまうノイズを低減する技術に関する。
【０００２】
【従来の技術】
従来のカメラのようにフィルムに画像を撮影する画像撮像装置に代わって、例えばＣＣＤ等のような固体撮像素子を用いて、被写体を撮像して得た輝度信号をデジタル画像データに変換して記録媒体に記録するデジタルスチルカメラ（デジタルカメラ）等の画像取得装置が、広く知られている。
デジタルカメラの信号出力は、例えば８ビットのデジタル値で表されるデジタル画像データであり、このデータが画像処理装置（パソコン）に取り込まれ、所定の画像処理が施されて、ＣＲＴ等のモニタ上に表示されたり、プリンタからプリント（ハードコピー）として出力される。
【０００３】
カラー画像撮影が可能なデジタルカメラにおいては、一般にＣＣＤから出力される信号に各種色補正処理を行なって最終的な出力画像を得ている。この色補正処理としては、例えば、リニアマトリックス処理や色差マトリックス処理等が知られている。ここで、リニアマトリックス処理は、ＣＣＤから出力される被写体輝度にリニアな信号に対して３×３の行列（リニアマトリックス）を作用させることで行なわれる。一方、色差マトリックス処理は、輝度リニアな信号をＣＲＴモニタ特性に合わせてγ変換した信号から輝度信号と色差信号を求め、この色差信号に２×２の行列等（色差マトリックス）を作用させるものである。これらの特徴として、リニアマトリックスは、正確な色再現を得るために有利であり、また一方、色ノイズに比べて輝度ノイズは目立ちやすいところ、色差マトリックスは輝度信号を変化させないため、ノイズの点で有利である。
【０００４】
【発明が解決しようとする課題】
ところで、ＣＣＤから出力される信号には、一般にノイズが含まれている。このノイズ成分としては、ＣＣＤへの入射光量の平方根に比例するショットノイズと、入射光量に依存しないＣＣＤの暗電流ノイズ（固定ノイズ）が支配的であり、特にＣＣＤに入射する光量が少ない程、信号に含まれるノイズの比率が増加することが知られている。
【０００５】
ここで、前記リニアマトリックスや色差マトリックスは、ノイズを増幅する効果を持ち、マトリックス係数の絶対値が大きな値をとる程、ノイズ増幅効果が強くなる。しかるに、現在のデジタルカメラは、ＣＣＤに入射する光量にかかわらず、固定したマトリックスを使用しており、被写体の暗部でノイズが目立ち、また、感度設定値を高く設定した場合には、画像全体でノイズが目立つという問題があった。
【０００６】
本発明は、前記従来の問題に鑑みてなされたものであり、ＣＣＤ等の固体撮像素子によって撮像されたデジタル画像データに含まれるノイズを低減することのできる、固体撮像素子を用いた画像取得装置および画像取得方法並びにその方法を実行するためのプログラムを記録した記録媒体を提供することを課題とする。
【０００７】
【課題を解決するための手段】
前記課題を解決するために、本発明の第一の態様は、画像を固体撮像素子によりデジタル画像データとして取り込んで、色補正処理を行い画像記録媒体に記録する、固体撮像素子を用いた画像取得装置であって、前記取り込んだ画像中の各部の明度を検出する明度検出手段と、前記色補正処理を行なうための色補正マトリックスである、リニアマトリックス及び色差マトリックスの係数を、前記検出された画像中の各部の明度に応じて、前記検出された画像中の明度が高い領域では前記リニアマトリックスの係数の絶対値を大きく設定し、前記検出された画像中の明度が低い領域では前記リニアマトリックスの係数の絶対値を小さく設定し、かつ前記色差マトリックスの係数を大きく設定するように変更するマトリックス係数設定手段と、を備えたことを特徴とする固体撮像素子を用いた画像取得装置を提供する。
【０００８】
また、前記マトリックス係数設定手段は、前記明度検出手段により検出された画像中の各部の明度に応じて、前記リニアマトリックスの係数を比例配分して設定することが好ましい。
さらに、前記マトリックス係数設定手段は、前記明度検出手段により検出された前記画像中の各部の明度のうち最大値をＹmax、最小値をＹminとし、さらに、前記リニアマトリックスの各係数のうち最も絶対値の大きい値をaijmax、前記リニアマトリックスの各係数のうち最も絶対値の小さい値をaijminとしたときに、
前記取り込んだ画像中のある所定の部分の明度Ｙに対応する前記リニアマトリックスの各係数aijを、以下の式
aij＝（aijmax−aijmin）×（Ｙ−Ｙmin）／（Ｙmax−Ｙmin）＋aijmin
により決定することが好ましい。
【０００９】
また、前記マトリックス係数設定手段は、前記色補正マトリックスとしてリニアマトリックス及び色差マトリックスの係数を前記画像中の各部の明るさに応じて変更し、前記検出された画像中の明るい領域では前記リニアマトリックスの係数の絶対値を大きく設定し、暗い領域では前記リニアマトリックスの係数の絶対値を小さくし、かつ前記色差マトリックスの係数を大きく設定するようにしたことが好ましい。
【００１０】
また、同様に前記課題を解決するために、本発明の第二の態様は、画像を固体撮像素子によりデジタル画像データとして取り込んで、色補正処理を行い画像記録媒体に記録する、固体撮像素子を用いた画像取得装置であって、前記固体撮像素子の感度を設定する感度設定手段と、前記色補正処理を行なうための色補正マトリックスである、リニアマトリックス及び色差マトリックスの係数を、前記設定された固体撮像素子の感度に応じて、前記設定された固体撮像素子の感度が低い場合には前記リニアマトリックスの係数の絶対値を大きく設定し、感度が高い場合には前記リニアマトリックスの係数の絶対値を小さく設定し、かつ前記色差マトリックスの係数を大きくするように変更するマトリックス係数設定手段と、を備えたことを特徴とする固体撮像素子を用いた画像取得装置を提供する。
【００１１】
また、前記マトリックス係数設定手段は、前記感度設定手段により設定された固体撮像素子の感度に応じて、前記リニアマトリックスの係数を比例配分して設定することが好ましい。
【００１２】
また、前記マトリックス係数設定手段は、前記色補正マトリックスとしてリニアマトリックス及び色差マトリックスの係数を前記固体撮像素子の感度に応じて変更し、前記設定された固体撮像素子の感度が低い場合には前記リニアマトリックスの係数の絶対値を大きく設定し、感度が高い場合には前記リニアマトリックスの係数の絶対値を小さくし、かつ前記色差マトリックスの係数を大きく設定するようにしたことが好ましい。
【００１３】
また、同様に前記課題を解決するために、本発明の第三の態様は、画像を固体撮像素子によりデジタル画像データとして取り込んで、色補正処理を行い画像記録媒体に記録する、固体撮像素子を用いた画像取得方法であって、前記取り込んだ画像中の各部の明度を検出し、前記色補正処理を行なうための色補正マトリックスである、リニアマトリックス及び色差マトリックスの係数を、前記検出された画像中の各部の明度に応じて、前記検出された画像中の明度が高い領域では前記リニアマトリックスの係数の絶対値を大きく設定し、前記検出された画像中の明度が低い領域では前記リニアマトリックスの係数の絶対値を小さく設定し、かつ前記色差マトリックスの係数を大きく設定するように変更することを特徴とする固体撮像素子を用いた画像取得方法を提供する。
【００１４】
また、前記検出された画像中の各部の明度に応じて、前記リニアマトリックスの係数を比例配分して設定することが好ましい。
さらに、前記検出された前記画像中の各部の明度のうち最大値をＹmax、最小値をＹminとし、さらに、前記リニアマトリックスの各係数のうち最も絶対値の大きい値をaijmax、前記リニアマトリックスの各係数のうち最も絶対値の小さい値をaijminとしたときに、
前記取り込んだ画像中のある所定の部分の明度Ｙに対応する前記リニアマトリックスの各係数aijを、以下の式
aij＝（aijmax−aijmin）×（Ｙ−Ｙmin）／（Ｙmax−Ｙmin）＋aijmin
により決定することが好ましい。
【００１５】
また、前記色補正処理を行なうための色補正マトリックスであるリニアマトリックス及び色差マトリックスの係数を前記画像中の各部の明るさに応じて変更し、前記検出された画像中の明るい領域では前記リニアマトリックスの係数の絶対値を大きく設定し、暗い領域では前記リニアマトリックスの係数の絶対値を小さくし、かつ前記色差マトリックスの係数を大きく設定するようにしたことが好ましい。
【００１６】
また、同様に前記課題を解決するために、本発明の第四の態様は、画像を固体撮像素子によりデジタル画像データとして取り込んで、色補正処理を行い画像記録媒体に記録する、固体撮像素子を用いた画像取得方法であって、前記色補正処理を行なうための色補正マトリックスである、リニアマトリックス及び色差マトリックスの係数を、前記固体撮像素子の感度に応じて、前記設定された固体撮像素子の感度が低い場合には前記リニアマトリックスの係数の絶対値を大きく設定し、感度が高い場合には前記リニアマトリックスの係数の絶対値を小さく設定し、かつ前記色差マトリックスの係数を大きく設定することを特徴とする固体撮像素子を用いた画像取得方法を提供する。
【００１７】
また、前記固体撮像素子の感度に応じて、前記リニアマトリックスの係数を比例配分して設定することが好ましい。
【００１８】
また、前記色補正処理を行なうための色補正マトリックスの係数であるリニアマトリックス及び色差マトリックスの係数を前記固体撮像素子の感度に応じて変更し、前記固体撮像素子の感度が低い場合には前記リニアマトリックスの係数の絶対値を大きく設定し、感度が高い場合には前記リニアマトリックスの係数の絶対値を小さく設定し、かつ前記色差マトリックスの係数を大きく設定するようにしたことが好ましい。
【００１９】
また、同様に前記課題を解決するために、本発明の第五の態様は、前記固体撮像素子を用いた画像取得方法を、コンピュータに実行させるためのプログラムとして、コンピュータにより読み取り可能に記録した、前記画像取得方法を実行するためのプログラムを記録した記録媒体を提供する。
【００２０】
【発明の実施の形態】
以下、本発明に係る固体撮像素子を用いた画像取得装置および画像取得方法並びにその方法を実行するためのプログラムを記録した記録媒体について、添付の図面に示される好適実施形態を基に、詳細に説明する。
【００２１】
図１は、本発明の一実施形態に係る固体撮像素子を用いた画像取得装置の概略を示すブロック図である。
本実施形態の画像取得装置１０は、ＣＣＤ１２、データ処理部１４、明度検出部１６、感度設定部１８、マトリックス係数設定部２０、色補正部２２および画像出力部２４を含んで構成される。
【００２２】
ＣＣＤ１２は、カラー画像が取得可能な撮像素子であり、図２に示すような分光感度特性をもっているものとする。図２で、実線はＢ（青）、破線はＧ（緑）、一点鎖線はＲ（赤）を表す。データ処理部１４は、ＣＣＤ１２から入力された画像信号をＡ／Ｄ変換してデジタル画像データとし、ホワイトバランス補正その他の処理を施すものである。明度検出部１６は、ホワイトバランス補正（ゲイン補正）後のＲ、Ｇ、Ｂ信号より、次の式（１）の線型和を用いて、画像中の各部の明度を検出するものである。
Ｙ  ＝  ３×Ｒ  ＋  ６×Ｇ  ＋  Ｂ          ・・・（１）
感度設定部１８は、ＣＣＤ１２の撮影時の感度を設定するものであり、画像が暗い場合には、感度を高く設定し、画像が明るい場合には、感度を低く設定するようにする。
【００２３】
また、マトリックス係数設定部２０は、明度検出部１６あるいは感度設定部１８からの情報を得て、明度あるいは感度に応じて色補正用のマトリックス（リニアマトリックスおよび色差マトリックス）の係数を設定する。色補正部２２は、マトリックス設定部２０で設定された色補正マトリックスを用いて画像データに対して色補正処理を行なう。そして、処理済の画像データは画像出力部２４から画像データの使用目的等に応じて例えばメモリカード、ハードディスク、内臓メモリ等の所定の画像記録媒体に出力される。
【００２４】
以下、本実施形態の作用について説明する。
ここで、標準光源をＣＩＥにより規定されるＤ６５とした場合、反射率が各波長で１．０である白色に対するＲ、Ｇ、Ｂ各チャンネルに与えられる露光量の比は次のようになる。
Ｒ：  ０．３７５
Ｇ：  １．０００
Ｂ：  ０．６９３
ただし、これらの値は、最大露光量を与えるＧチャンネルの露光量で規格化した値である。
【００２５】
いま、ＣＣＤ１２の飽和電荷量が２００００ｅであるとし、白色に対する最大露光量を与えるチャンネル（Ｇ）の出力電荷量を飽和電荷量に等しくした場合、与えられた露光量と、発生する電荷量が比例することから、各チャンネルの発生電荷量は次のようになる。
Ｒ：    ７５００ｅ
Ｇ：  ２００００ｅ
Ｂ：  １３８６０ｅ
【００２６】
ここで、ＣＣＤ１２で発生するノイズが電荷量の平方根に比例するショットノイズＮｓと電荷量に依存しない固定ノイズＮｄとで決定されていると仮定すると、各チャンネルで発生するノイズ量Ｎは次の式（２）で与えられる。
Ｎ  ＝  （Ｎｓ2 ＋  Ｎｄ2 ）1/2           ・・・（２）
ただし、Ｓを発生電荷量としたとき、Ｎｓ＝Ｓ1/2 である。
【００２７】
したがって、Ｎｄ＝５ｅとしたときの各チャンネルのノイズ量は、以下のようになる。
Ｒ：    ８６．７ｅ
Ｇ：  １４１．５ｅ
Ｂ：  １１７．８ｅ
ここで、ホワイトバランスをとるためにこれらの各チャンネルに以下のゲインを乗ずる。
Ｒ：  ２．６７
Ｇ：  １．００
Ｂ：  １．４４
その結果、各チャンネルに含まれるノイズ量は、次のようになる。
Ｒ：  ２３１．３
Ｇ：  １４１．５
Ｂ：  １７０．０
【００２８】
次に、前記各発生電荷量に対して上記ゲインを乗じて得られた信号値
Ｒ＝７５００×２．６７＝２００２５
Ｇ＝２００００×１．００＝２００００
Ｂ＝１３８６０×１．４４＝１９９５８
に対して以下の式（３）で表されるリニアマトリックスを作用させる。
【数１】
0004064038.tif 000002
その結果、各チャンネルの信号電荷量が次のように得られる。
Ｒ’＝１９８２０
Ｇ’＝２００３５
Ｂ’＝１９９４３
【００２９】
また、各チャンネルに含まれるノイズ量は、それぞれ（リニアマトリックスにかかる前のＲ、Ｇ、Ｂ各チャンネルに含まれるノイズ量）の２乗和の平方根で表せることから、以下のようになる。
Ｒ：  ５２２．９
Ｇ：  ２９１．３
Ｂ：  ２２９．７
【００３０】
また、各チャンネルｉ（ｉ＝Ｒ、Ｇ、Ｂ）の信号電荷量をＥｉとし、各チャンネルｉのノイズ量をＮｉとしたとき、信号とノイズとの比（Ｓ／Ｎ）は、次の式（４）で表される。
Ｓ／Ｎ  ＝  ２０×Ｌｏｇ（Ｅｉ／Ｎｉ）      ・・・（４）
そこで、最後にこれを用いてＳ／Ｎ比を計算すると次のようになる。
Ｒ＝２０×Ｌｏｇ（１９８２０／５２２．９）＝３１．７
Ｇ＝２０×Ｌｏｇ（２００３５／２９１．３）＝３６．７
Ｂ＝２０×Ｌｏｇ（１９９４３／２２９．７）＝３８．８
【００３１】
次に、被写体反射率が各波長で０．０５（５％）の物体に対して、上と同様の計算を行なうと次の結果が得られる。
Ｒ：  １８．４
Ｇ：  ２３．６
Ｂ：  ２５．６
このように、反射率が５％であるような暗い色については、ノイズが増加して、Ｓ／Ｎ比が大きく下がることがわかる。
【００３２】
ここで、リニアマトリックスの係数を上記式（３）に対して、その絶対値をより小さくして、例えば次の式（５）に示すように変更する。
【数２】
0004064038.tif 000003
これを用いて、同様に計算をすると、反射率５％の被写体のノイズは、次のようになる。
Ｒ：  ２５．５
Ｇ：  ２９．９
Ｂ：  ２８．３
【００３３】
このように、リニアマトリックスの係数の絶対値を小さくすることで、Ｓ／Ｎ比を向上させることができる。すなわち、ＣＣＤで撮影された画像中のノイズを低減することができる。
なお、このように輝度の低い領域ほどリニアマトリックスの係数を小さくすることにより、低輝度色の彩度が低下するおそれがある。そこで、輝度の低い領域においては、リニアマトリックスの係数の絶対値を小さくする一方で、色差マトリックスの係数を大きくすることで、低輝度側でも色の彩度は高く、かつ無彩色のノイズが増幅することのない画像を得ることができる。すなわち、画像中の明部（明度が高い領域）については、リニアマトリックスの係数の絶対値を大きくし、暗部（明度が低い領域）については、リニアマトリックスの係数の絶対値を小さくするとともに色差マトリックスの係数を大きくすることで、暗部でノイズの目立ちにくい画像を得ることができ、より優れた効果が得られる。
なお、明部および暗部の分け方は、前述した値Ｙ＝３×Ｒ＋６×Ｇ＋Ｂを用いて所定の閾値によって分けるようにすればよい。
【００３４】
また、このように、単に明部と暗部をある閾値で分割してそれぞれについて異なるマトリックス係数を与えるようにすると、画像中の明度が連続的に変化している部分で、偽輪郭が発生する恐れがある。そのため、マトリックス係数は、上記値式（１）で定義される明るさ値Ｙに依存して変化させることが好ましい。
例えば、画像中の明るさ値（Ｙ値）の最大値をＹmax 、最小値をＹmin とし、マトリックス係数の最も絶対値の大きい設定値をａijmax 、 最も絶対値の小さい設定値をａijmin とし、画像中の注目画素の明るさ値をＹとしたときに、以下の式（６）により各マトリックス係数ａijを決定するようにするとよい。
0004064038.tif 000004
すなわち、明るさに応じてマトリックスの係数を比例配分するものである。
【００３５】
以上の例は、明度に応じてマトリックス係数を設定する場合であったが、装置の感度設定値に応じてマトリックス係数を設定するようにしてもよい。この場合は、明度が大きい程、感度は低く、また、明度が小さい程、感度は高く設定されるため、感度が低い場合には、リニアマトリックス係数は絶対値を大きく設定し、感度が高い場合には、リニアマトリックス係数は絶対値が小さくなるようにするとともに、色差マトリックスの係数は大きく設定される。これにより、前記と同様にＣＣＤで撮影された画像に含まれるノイズを低減することができる。
また、以上の実施形態における画像取得方法を、コンピュータに実行させるためのプログラムとして記録媒体に記録することにより、後はこの記録媒体からプログラムを読み出して用いることにより、ＣＣＤによる入力画像のノイズを低減することが可能となる。
【００３６】
以上、本発明の固体撮像装置を用いた画像取得装置および画像取得方法並びにその方法を実行するためのプログラムを記録した記録媒体について詳細に説明したが、本発明は、以上の例には限定されず、本発明の要旨を逸脱しない範囲において、各種の改良や変更を行ってもよいのはもちろんである。
【００３７】
【発明の効果】
以上説明した通り、本発明によれば、固体撮像素子例えばＣＣＤで撮影された画像中に含まれるノイズを低減することができる。
【図面の簡単な説明】
【図１】  本発明の一実施形態に係る固体撮像素子を用いた画像取得装置の概略を示すブロック図である。
【図２】  本実施形態のＣＣＤの分光感度特性を示す線図である。
【符号の説明】
１０  画像取得装置
１２  ＣＣＤ
１４  データ処理部
１６  明度検出部
１８  感度設定部
２０  マトリックス係数設定部
２２  色補正部
２４  画像出力部
【図１】
0004064038.tif 000005
【図２】
0004064038.tif 000006